(57)【要約】【課題】複数商品のリストを登録する機能と、リストへの誘導を行うリストコンテンツを生成する機能と、リスト単位の購入を受け付ける機能とを提供することによって、複数商品の一括購買への誘導を実現する電子商取引システムを提供する。【解決手段】端末と、サーバとを備え、端末とサーバとは、網を介して接続し、サーバは、商品情報を格納する第１のデータベースと、商品情報の複数の集合とそれに対応する人数情報とが組となったリスト情報を格納する第２のデータベースとを備え、端末は、商品情報の複数の集合とそれに対応する人数情報とをサーバに送信して追加し、サーバは、端末からの追加リスト情報に対応する商品情報を第１のデータベースから読み出し、端末からの人数情報と組み合わせて新リスト情報を作成して第２のデータベースに格納する。【選択図】図１
2011118839.tif 000002
【特許請求の範囲】
【請求項１】
端末と、
サーバと
を備え、
前記端末と前記サーバとは、
網を介して接続し、
前記サーバは、
商品情報を格納する第１のデータベースと、
前記商品情報の複数の集合とそれに対応する人数情報とが組となったリスト情報を格納する第２のデータベースと
を備え、
前記端末は、
商品情報の複数の集合とそれに対応する人数情報とを前記サーバに送信して追加し、
前記サーバは、
前記端末からの前記追加リスト情報に対応する前記商品情報を前記第１のデータベースから読み出し、前記端末からの前記人数情報と組み合わせて新リスト情報を作成して前記第２のデータベースに格納する
電子商取引システム。
【請求項２】
請求項１に記載の電子商取引システムであって、
前記端末は、
顧客情報と前記リスト情報と前記人数情報とを含む購入要求を前記サーバに送信し、
前記サーバは、
前記端末からの前記人数情報に対応するように前記リスト情報を換算して換算リスト情報を生成する
電子商取引システム。
【請求項３】
請求項１、又は２に記載の電子商取引システムであって、
前記サーバは、
第３のデータベースを更に備え、前記換算リスト情報に適合する前記商品情報を前記第１のデータベースから読み出し、前記顧客情報と前記商品情報とを前記第３のデータベースに格納する
電子商取引システム。
【請求項４】
請求項１乃至３のいずれか１項に記載の電子商取引システムであって、
前記端末は、
前記リスト情報を含んだリストコンテンツ情報の生成要求を前記サーバに送信し、
前記サーバは、
前記端末からの前記リスト情報に対応する前記商品情報を前記第１のデータベースから読み出し、前記リストコンテンツ情報を生成し、前記リストコンテンツ情報を前記端末に送信する
電子商取引システム。
【請求項５】
請求項１乃至４のいずれか１項に記載の電子商取引システムであって、
前記端末は、
前記リストコンテンツ情報に基づいて、前記顧客情報と前記リスト情報と前記人数情報とを含む購入要求を前記サーバに送信する
電子商取引システム。
【請求項６】
請求項１乃至５のいずれか１項に記載の電子商取引システムであって、
前記リスト情報は、
前記サーバへの自動接続情報を含む
電子商取引システム。
【請求項７】
請求項１乃至６のいずれか１項に記載の電子商取引システムであって、
前記第３のデータベースは、
前記顧客情報に対応する前記人数情報を予め格納し、
前記端末は、
前記顧客情報と前記リスト情報とを含む購入要求を前記サーバに送信し、
前記サーバは、
前記端末からの前記顧客情報に対応する前記人数情報を前記第３のデータベースから読み出して前記リスト情報を換算して換算リスト情報を生成する
電子商取引システム。
【請求項８】
請求項１乃至７のいずれか１項に記載の電子商取引システムであって、
前記第３のデータベースは、
前記顧客情報に対応する商品の優先順位情報を予め格納し、
前記サーバは、
前記換算リスト情報に適合する前記商品情報を前記優先順位情報に基づいて前記第１のデータベースから読み出し、前記顧客情報と前記商品情報とを前記第３のデータベースに格納する
電子商取引システム。
【請求項９】
請求項１乃至８のいずれか１項に記載の電子商取引システムであって、
第１のデータベースは、
前記顧客情報の地理的位置情報に適合した前記商品情報を格納する
電子商取引システム。
【請求項１０】
請求項１乃至９のいずれか１項に記載の電子商取引システムで使用される
デジタルデータ共有サービスシステムの端末。
【請求項１１】
請求項１乃至９のいずれか１項に記載の電子商取引システムで使用される
デジタルデータ共有サービスシステムのサーバ。
【請求項１２】
端末が、商品情報の複数の集合とそれに対応する人数情報とが組となったリスト情報をサーバに送信するステップと、
前記サーバが、前記リスト情報を受信するステップと、
前記サーバが、前記サーバの記憶装置に前記リスト情報を追加するステップと、
前記サーバが、前記リスト情報に対応する商品情報を第１のデータベースから読み出すステップと、
前記サーバが、前記人数情報と前記商品情報と組み合わせて新リスト情報を作成するステップと、
前記サーバが、第２のデータベースに新リスト情報を格納するステップと
を備える
電子商取引方法。
【請求項１３】
請求項１２に記載の電子商取引方法であって、
前記端末が、顧客情報と前記リスト情報と前記人数情報とを含む購入要求を前記サーバに送信するステップと、
前記サーバが、前記端末からの前記人数情報に対応するように前記リスト情報を換算した換算リスト情報を生成するステップと
を更に備える
電子商取引方法。
【請求項１４】
請求項１２、又は１３に記載の電子商取引方法であって、
前記サーバが、前記換算リスト情報に適合する前記商品情報を前記第１のデータベースから読み出すステップと、
前記サーバが、前記顧客情報と前記商品情報とを第３のデータベースに格納するステップ
を更に備える
電子商取引方法。
【請求項１５】
請求項１２乃至１４のいずれか１項に記載の電子商取引方法であって、
前記端末が、前記リスト情報を含んだリストコンテンツ情報の生成要求を前記サーバに送信するステップと、
前記サーバが、前記端末からの前記リスト情報に対応する前記商品情報を前記第１のデータベースから読み出すステップと、
前記サーバが、前記リストコンテンツ情報を生成するステップと、
前記サーバが、前記リストコンテンツ情報を前記端末に送信するステップと
を更に備える
電子商取引方法。
【請求項１６】
サーバが、端末から送信される商品情報の複数の集合とそれに対応する人数情報とが組となったリスト情報を受信するステップと、
前記サーバが、前記サーバの記憶装置に前記リスト情報を追加するステップと、
前記サーバが、前記リスト情報に対応する商品情報を第１のデータベースから読み出すステップと、
前記サーバが、前記人数情報と前記商品情報とを組み合わせて新リスト情報を作成するステップと、
前記サーバが、第２のデータベースに前記新リスト情報を格納するステップと
を備える方法をコンピュータに実行させるためのプログラム。
【請求項１７】
請求項１６に記載の電子商取引方法をコンピュータに実行させるためのプログラムであって、
前記サーバが、前記端末から送信される顧客情報と前記リスト情報と前記人数情報とを含む購入要求を受信するステップと、
前記サーバが、前記端末からの前記人数情報に対応するように前記リスト情報を換算した換算リスト情報を生成するステップと
を更に備える方法をコンピュータに実行させるためのプログラム。
【請求項１８】
請求項１６、又は１７に記載の電子商取引方法をコンピュータに実行させるためのプログラムであって、
前記サーバが、前記換算リスト情報に適合する前記商品情報を前記第１のデータベースから読み出すステップと、
前記サーバが、前記顧客情報と前記商品情報とを第３のデータベースに格納するステップ
を更に備える方法をコンピュータに実行させるためのプログラム。
【請求項１９】
請求項１６乃至１８のいずれか１項に記載の電子商取引方法をコンピュータに実行させるためのプログラムであって、
前記サーバが、前記端末から送信される前記リスト情報を含んだリストコンテンツ情報の生成要求を受信するステップと、
前記サーバが、前記端末からの前記リスト情報に対応する前記商品情報を前記第１のデータベースから読み出すステップと、
前記サーバが、前記リストコンテンツ情報を生成するステップと、
前記サーバが、前記リストコンテンツ情報を前記端末に送信するステップと
を更に備える方法をコンピュータに実行させるためのプログラム。
【請求項２０】
請求項１６乃至１９のいずれか１項に記載のプログラムを格納する記録媒体。
【発明の詳細な説明】
【技術分野】
【０００１】
本発明は、電子商取引システムに関し、特に、企業対消費者間取引に関する。
【背景技術】
【０００２】
ネットショップ等のオンライン販売には、顧客が、店頭を訪れずに、自宅のコンピュータや携帯電話から商品を購入できる利便性がある。また、オンライン販売では、一般ユーザが、自身のインターネット上のデジタルコンテンツに、商品の情報、及びその商品を販売するネットショップ等へのリンク情報を含めることによって、自身のコンテンツから商品の購買に誘導することが可能である。そのような中で、インターネット上のコンテンツには、複数の商品の情報を伴うものが存在する。例えば、料理レシピ情報の場合にはその料理の材料のリストが商品情報となる。このように、複数の商品の情報がコンテンツに存在し、それらの商品の購買に誘導させるためには、各商品に対応したリンク情報をそれぞれ設定する必要があった。しかし、オンライン販売する側、及び購入する側の双方にとって、関連する複数の商品を一括して購入する処理を行う仕組みがあることが望ましい。
【０００３】
上の記述に関連して、注文システムと方法およびプログラムと記録媒体が特許文献１に開示されている。この例では、注文を受け付けるサーバマシンにおいて、キット品登録処理部を設けることにより、クライアントマシンのＷｅｂページ上で発注者が複数の商品を任意に組み合わせたキットを、任意に指定されたキット名を付けて、かつ、発注者に対応付けて登録することができるようにしている。そして、サーバマシンのキット品受注処理部の機能により、発注者は、自分で登録したキット名を使用して、一括で、このキットを構成する各商品を発注することができるようにしている。
【０００４】
また、特許文献２には、オンラインショッピングサイトにおける最適量算出システム、最適量算出方法および最適量算出用プログラムが開示されている。これは、一の顧客が複数の完成品およびその必要数のデータを入力すると、分解機能は、その複数の完成品のそれぞれについて、その完成品を構成する部品とその部品の必要量との組合せのデータを出力するようにしている。次に、最適量算出機能は、分解機能が出力した組合せのデータを部品毎にまとめ、部品のそれぞれについて、その部品の必要量を求めた後、その必要量以上で且つその部品の発注単位の整数倍の値のうち最小のものをその部品の最適な発注量のデータとして出力するようにしている。また、最適量算出機能は、各部品について、上記最適な発注量と上記必要量との差分を補うのに適切な完成品のデータを、顧客に提示するようにしている。
【０００５】
また、レシピ提供方法およびシステムが特許文献３で開示されている。これは、ある店舗（○○スーパー）の広告をＷｅｂ上で検索して表示させ、表示されている商品のうちから利用したい食材を選択する。すると、選択された食材を利用するレシピ情報を検索すると共に、そのレシピで利用される食材が最安値となる店舗名、価格を、広告の店舗（○○スーパー）と共に、広告の店舗以外の店舗（××八百屋）についても抽出するようにしている。
【０００６】
そして、特許文献４においては、レシピ情報提供方法及びレシピ情報提供システムが開示されている。この例においては、ユーザが選択入力した店舗情報と献立情報に基づいて管理サーバが索出した食材リストをユーザに提供して、ユーザが当該食材リストに含まれる食材を購入したか否かをレジ端末から購入情報を受信した管理サーバにおいて判定して、当該食材が購入されていたと判定した際に、前記献立情報に関連付けられたレシピ情報を管理サーバから情報端末に送信するようにしている。
【先行技術文献】
【特許文献】
【０００７】
【特許文献１】特開２００３−０９９６４４号公報
【特許文献２】特開２００３−１８７０９８号公報
【特許文献３】特開２００４−１７８１６１号公報
【特許文献４】特開２００６−３３１１５９号公報
【発明の概要】
【発明が解決しようとする課題】
【０００８】
ネットワーク上に、複数の商品情報が存在する場合には、それらの商品購買に誘導するためには、各商品に対応する購買のためのリンク情報をそれぞれ設定する必要がある。
【０００９】
本発明の目的は、複数商品のリストを登録する機能と、リストへの誘導を行うリストコンテンツを生成する機能と、リスト単位の購入を受け付ける機能とを提供することによって、複数商品の一括購買への誘導を実現する電子商取引システムを提供することである。
【課題を解決するための手段】
【００１０】
本発明の電子商取引システムは、端末と、サーバとを備え、端末とサーバとは、網を介して接続し、サーバは、商品情報を格納する第１のデータベースと、商品情報の複数の集合とそれに対応する人数情報とが組となったリスト情報を格納する第２のデータベースとを備え、端末は、商品情報の複数の集合とそれに対応する人数情報とをサーバに送信して追加し、サーバは、端末からの追加リスト情報に対応する商品情報を第１のデータベースから読み出し、端末からの人数情報と組み合わせて新リスト情報を作成して第２のデータベースに格納する。
【００１１】
また、本発明の電子商取引方法は、端末の送信部が、商品情報の複数の集合とそれに対応する人数情報とが組となったリスト情報をサーバの受信部に送信するステップと、サーバの受信部が、リスト情報を受信するステップと、サーバの処理装置が、リスト情報をサーバの記憶装置に追加するステップと、サーバの処理装置が、リスト情報に対応する商品情報を記憶装置内の第１のデータベースから読み出すステップと、サーバの処理装置が、人数情報と商品情報とを組み合わせて作成した新リスト情報を記憶装置内の第２のデータベースに格納するステップとを備える。
【００１２】
また、本発明のプログラムは、サーバが、端末から送信される商品情報の複数の集合とそれに対応する人数情報とが組となったリスト情報を受信するステップと、サーバが、サーバの記憶装置にリスト情報を追加するステップと、サーバが、リスト情報に対応する商品情報を第１のデータベースから読み出すステップと、サーバが、人数情報と商品情報とを組み合わせて新リスト情報を作成するステップと、サーバが、第２のデータベースに新リスト情報を格納するステップとを備える方法をコンピュータに実行させる。
【発明の効果】
【００１３】
本発明の電子商取引システムによれば、複数商品のリストを登録する機能と、リストへの誘導を行うリストコンテンツを生成する機能と、リスト単位の購入を受け付ける機能とを提供することによって、複数商品の一括購買への誘導を実現することが可能となる。
【図面の簡単な説明】
【００１４】
【図１】図１は本発明の第１の実施形態における電子商取引システムの一例を示すオンライン販売システムの構成図である。
【図２】図２はリスト素材情報格納部１５０に格納される情報の一例を示す図である。
【図３】図３はリスト情報格納部１６０に格納される情報の一例を示す図である。
【図４】図４は商品情報格納部１８０に格納される情報の一例を示す図である。
【図５】図５は顧客情報格納部１７０に格納される情報の一例を示す図である。
【図６】図６は販売サーバ１００によるリストＩＤ提供処理を示す流れ図である。
【図７】図７はリストＩＤ生成部１１０が提供するユーザインタフェースの画面の一例を示す図である。
【図８】図８は販売サーバ１００による購入要求の受付処理を示す流れ図である。
【図９】図９は販売サーバ１００のリストコンテンツ生成部１２０によるコンテンツ生成の処理を示す流れ図である。
【図１０】図１０はステップＳ３３で生成されるリストコンテンツの画面の一例を示す図である。
【発明を実施するための形態】
【００１５】
（第１の実施形態）
以下に、添付図面を参照しながら、本発明の実施形態による電子商取引システム、電子商取引方法、及び電子商取引システム用プログラムを詳細に説明する。
【００１６】
まず、本発明の実施形態による電子商取引システム、電子商取引方法、及び電子商取引システム用プログラムの構成について説明する。
【００１７】
図１は、本発明の第１の実施形態における電子商取引システムの一例を示すオンライン販売システムの構成図である。図１を参照すると、本発明によるオンライン販売システムの実施の形態は、ネットワーク５０と、販売サーバ１００と、端末２００と、決済システム３００と、配送システム４００とを備える。本発明によるオンライン販売システムの中核をなす販売サーバ１００は、ネットワーク５０の網を介して端末２００と接続している。ここで、ネットワーク５０の例としては、インターネットがある。また、ここで、端末２００の例としては、パーソナルコンピュータ、携帯電話等があり、ネットワークを介して販売サーバ１００と互いに通信する機能を有する。また、販売サーバ１００は、網を介して、決済システム３００、及び配送システム４００のそれぞれと接続しており、この網は、専用線網である場合が多いものの、上述のネットワーク５０と同一の網であっても構わない。図上では、専用線網によって接続された例が示されており、専用線網を介して販売サーバ１００と通信する機能を有する。そして、販売サーバ１００は、図示せぬ主制御装置と図示せぬ記憶装置とを有しており、主制御装置は記憶装置に接続している。その記憶装置は図示せぬ制御部を有しており、その制御部には主制御装置が実行するプログラムが記録されている。
【００１８】
販売サーバ１００は更に、リストＩＤ生成部１１０と、リストコンテンツ生成部１２０と、リスト購入受付部１３０と、オンライン購入部１４０と、リスト素材情報格納部１５０と、リスト情報格納部１６０と、顧客情報格納部１７０と、商品情報格納部１８０とを有している。これらの販売サーバ１００内の各部は、販売サーバ１００内部で相互に接続しており、また前述の主制御装置とも接続している。そして、販売サーバ１００の主制御装置は、記憶装置の制御部に記録されたプログラムに従って、販売サーバ１００内の各部の制御、及び各種の演算処理等を実行する。なお、ここで、本発明におけるリストとは、複数の素材の集合を表す。リストとしては、例えば、「豚バラ肉２００グラム、大根１本、ごま油１０グラム、塩５グラム」がある。
【００１９】
リストＩＤ生成部１１０は、複数商品から成るリストに対応したＩＤを生成する機能を有する。リストＩＤ生成部１１０は、コンテンツ作成者による、ネットワーク５０を介した端末２００からの接続要求に応答し、ユーザインタフェースである入力画面を端末２００の画面上に表示する。また、リストＩＤ生成部１１０は、端末２００のユーザインタフェースを介したリストＩＤ発行要求に応答し、リストＩＤを発行するとともに、リスト情報格納部１６０にリスト情報を登録する。
【００２０】
リストコンテンツ生成部１２０は、リストＩＤに対応するコンテンツを生成する機能を有する。リストコンテンツ生成部１２０は、コンテンツ作成者による、ネットワーク５０を介した端末２００からのリストＩＤに基づいたコンテンツ生成要求を受け、リストＩＤに対応する情報をリスト情報格納部１６０から取得して、その情報に対応する商品情報を商品情報格納部１８０から取得するとともに、リスト購入要求のためのコンテンツを生成して応答する。
【００２１】
リスト購入受付部１３０は、リストに対応する購入要求を受け付ける機能を有する。リスト購入受付部１３０は、顧客による、ネットワーク５０を介した端末２００からのリストＩＤ、及び人数情報に基づいた購入要求を受け、素材情報格納部１５０、リスト情報格納部１６０、及び商品情報格納部１８０を参照してリストＩＤに対応した購入商品情報を求めるとともに、顧客情報格納部１７０に準備された顧客のショッピングカートに商品を登録する。
【００２２】
オンライン購入部１４０は、オンラインでの商品購入処理を行う機能を有する。オンライン購入部１４０は、顧客による、ネットワーク５０を介した端末２００からの商品購入要求を受け、顧客情報格納部１７０に記録された顧客のショッピングカート情報に基づいて、決済システム３００、及び配送システム４００を制御し、顧客からの購入決済処理、及び顧客への商品配送処理を行う。
【００２３】
リスト素材情報格納部１５０は、リスト作成のための素材となる情報を格納するデータベース機能を有する。リスト素材情報格納部１５０には、販売サーバ１００で販売対象としている商品に関する素材の名称、及びその素材に付与されたＩＤが組となった一覧の情報が格納され、その情報は、他の各部からの情報取得要求に対する応答として読み出される。また、リスト素材情報格納部１５０には素材それぞれの単位情報を格納しても良い。図２は、リスト素材情報格納部１５０に格納される情報の一例を示す図である。図２において、例えば、「０００１：  鶏もも肉：  グラム」という行は、リスト素材ＩＤが「０００１」である商品の素材の名称が「鶏もも肉」であり、その計量単位が「グラム」であることを意味している。
【００２４】
リスト情報格納部１６０は、リスト情報を格納するデータベース機能を有する。リスト情報格納部１６０には、リストＩＤ生成部１１０で作成されたリストの情報が格納され、その情報は、他の各部からの情報取得要求に対する応答として読み出される。図３は、リスト情報格納部１６０に格納される情報の一例を示す図である。図３を参照すると、各リスト情報は、そのリストに付与されたＩＤと、そのリストに対応する素材群を利用する想定人数と、「リスト素材ＩＤと量」とを含む組情報である。図３において、例えば、「０００１：  ４：  （０００３、２００）、（０００６、１）、（０００７、１０）」という行の中で、「（０００３、２００）」は、図２におけるリスト素材ＩＤ「０００３」の素材である「豚バラ肉」が量「２００」であることを意味している。そして、その行全体は、リストＩＤが「０００１」であるリストが、「４」人での利用を想定しており、「豚バラ肉２００グラム、大根１本、ごま油１０グラム」の素材の集合から成ることを示している。このように、リスト情報格納部１６０に格納される各リスト情報には対応する想定人数が保存されており、これによって、顧客による購入要求を受けた際に、そのリストに対応する素材群の必要量を算出することができる。
【００２５】
商品情報格納部１８０は、商品の情報を格納するデータベース機能を有する。商品情報格納部１８０には、販売サーバ１００で販売される商品の情報が格納され、その情報は、他の各部からの情報取得要求に対する応答として読み出される。図４は、商品情報格納部１８０に格納される情報の一例を示す図である。図４を参照すると、各商品情報は、その商品に付与されたＩＤと、素材、及びその内容量が指定された商品の名称と、商品の価格とを含む組情報である。図４において、例えば、「０００１：  豚バラ肉２００グラム：  ２５０円」という行は、商品ＩＤが「０００１」である商品の名称が「豚バラ肉２００グラム」であり、その価格が「２５０円」であることを示している。また、商品の発送元地域、納期、消費期限等の情報を併せて格納することは好適である。これらの情報から商品の発想不可能地域を割り出し、そのような地域向けの代用品を格納することもできる。
【００２６】
顧客情報格納部１７０は、顧客の情報を格納するデータベース機能を有する。顧客情報格納部１７０には、販売サーバ１００を利用する顧客の情報が格納される。図５は、顧客情報格納部１７０に格納される情報の一例を示す図である。図５を参照すると、顧客毎に、顧客ＩＤ、氏名、住所、ショッピングカート（買い物かご）の情報が管理されている。図５の例では、「０００１：  山田太郎：  東京都港区芝五丁目：  （０００１、２）」という行は、顧客ＩＤが「０００１」である顧客の氏名が「山田太郎」、住所が「東京都港区芝五丁目」であり、ショッピングカートの内容は商品ＩＤが「０００１」である豚バラ肉２００グラムの個数が「２」であることを示している。また、ここでは図示していないものの、顧客の情報として家族人数を登録しても良い。これによって、顧客による購入要求を受けた際に、予め登録した家族人数を用いて、そのリストに対応する素材群の必要量を算出することもできる。また、価格、品質、納期等に関する志向を登録しておいても良い。これによって、購入対象が複数存在する場合に、顧客の要望に沿った優先順位等を決定することもできる。また、顧客情報格納部１７０の顧客の住所を用いることによって、上述した、商品情報格納部１８０での商品の発送元地域、納期、消費期限等の情報と関連させて、商品の選択肢を効率良く提供することができる。
【００２７】
決済システム３００は、商品の決済機能を有する。また、配送システム４００は、商品の配送処理機能を有する。決済システム３００、及び配送システム４００は、顧客による、ネットワーク５０を介した端末２００からの商品購入の要求を受けたオンライン購入部１４０によって顧客情報格納部１７０内のショッピングカート情報に基づいて制御され、顧客からの購入決済処理、及び顧客への商品配送処理をそれぞれが行う。
【００２８】
次に、上述の構成を備えた本発明の実施形態による電子商取引システム、電子商取引方法、及び電子商取引システム用プログラムの動作について説明する。
【００２９】
以下では、販売サーバ１００における下記の２つの動作について説明する。すなわち、
（１）コンテンツ作成者へのリストＩＤの提供
（２）顧客からのリストＩＤに基づいた購入要求の受付
である。
【００３０】
（１）コンテンツ作成者へのリストＩＤ提供
コンテンツ作成者は、端末２００で、ネットワーク５０を介して販売サーバ１００と通信を行って、任意の商品群に対応するリストＩＤを取得することができる。以下に、添付図面を参照しながら、本発明の実施形態によるコンテンツ作成者へのリストＩＤ提供の動作について詳細に説明する。
【００３１】
図６は、販売サーバ１００によるリストＩＤ提供処理を示す流れ図である。図６を参照すると、まず、販売サーバ１００のリストＩＤ生成部１１０は、リストＩＤの要求者（コンテンツ作成者）から、端末２００とネットワーク５０とを介して、「人数情報」、及び一つ以上の「リスト素材ＩＤ、量」の組情報の指定を伴うリストＩＤ発行要求を受ける（ステップＳ１１）。具体的には、まず、リストＩＤ生成部１１０は、リストＩＤの要求者に対して、上記情報を指定するためのユーザインタフェースを提供し、そのユーザインタフェースを介してリストＩＤ発行要求を受ける。図７は、リストＩＤ生成部１１０が提供するユーザインタフェースの画面の一例を示す図である。図７を参照すると、リストＩＤの要求者による入力用に提供されるこの画面例では、リストが対象とする人数を入力する欄と、素材を選択して、その量を入力する欄とが設けられている。ただし、これは、顧客情報格納部１７０に格納されている人数情報を用いるような形態であっても良く、この場合には、人数を入力する欄を省略しても良い。次に、リストＩＤの要求者は、これらの欄に必要事項を入力した上で「リスト作成要求」と書かれたボタンを押すことによって、リストＩＤ発行要求をリストＩＤ生成部１１０に送信することが可能である。なお、図７の画面上では、素材を例えば「鶏もも肉」のようにその名称で表示している。しかし、ＩＤ発行要求送信時にはその素材の名称（鶏もも肉）ではなく、リスト素材情報格納部内での対応ＩＤを用いても良く、例えば、図２に示すリスト素材情報格納部情報の場合、「鶏もも肉」はＩＤ「０００１」で表される。
【００３２】
次に、リストＩＤ生成部１１０は、ステップＳ１１で指定された情報に基づいてリストＩＤを発行し、リストＩＤと指定された情報とを併せたものをリスト情報としてリスト情報格納部１６０に登録する（ステップＳ１２）。具体的には、リストＩＤの要求者からのリストＩＤ発行要求を受けたリストＩＤ生成部１１０は、リスト情報格納部１６０を参照して未使用のＩＤを取得し、そのＩＤと、指定情報の組とをリスト情報格納部１６０に格納する。なお、ＩＤ生成部１１０がリスト情報格納部１６０を参照した際に、リスト情報格納部１６０に、ステップＳ１１で指定された内容と同一のリスト情報が既に格納されている場合には、リストＩＤ生成部１１０は、新たにリスト情報の登録を行わず、既存の該リスト情報のＩＤを取得するようにしても良い。このようにして、作成されたリスト情報には、人数情報が保存されており、これによって、リストＩＤに基づいた顧客による購入要求を受けた際には、そのリストに対応する素材群の必要量を算出することができ、すなわち、リスト内の商品の分量を人数分に一括で調整する機能が実現される。
【００３３】
最後に、リストＩＤ生成部１１０は、ステップＳ１２で取得したリストＩＤを要求元に応答する（ステップＳ１３）。
【００３４】
以上の一連の処理によって、リストＩＤの要求者は、自身が指定した人数情報、及び素材情報に対応したリストＩＤを取得することが可能である。リストＩＤの要求者は、取得したリストＩＤを含むリンク情報をインターネット上の自身のデジタルコンテンツに埋め込むことによって、指定した商品の購入へ誘導するハイパーリンクを作成することが可能である。リンクの記述方法としては、例えば、リストＩＤの値が「０００１」である場合に、「ｈｔｔｐ：／／ｗｗｗ．ｅｘａｍｐｌｅ．ｃｏｍ／ｓｈｏｐ／ｌｉｓｔ／０００１」のように、ＵＲＬ（Ｕｎｉｆｏｒｍ  Ｒｅｓｏｕｒｃｅ  Ｌｏｃａｔｏｒ）内にリストＩＤを埋め込む方法が例示される。
【００３５】
（２）顧客からのリストＩＤを伴う購入要求の受付
顧客は、端末２００で、ネットワーク５０を介して、コンテンツ作成者によって作成されたリストＩＤを含むコンテンツ、又はリンクを選択することによって、販売サーバ１００に、そのリストＩＤに対応する商品の購入要求を送信することができる。以下に、添付図面を参照しながら、本発明の実施形態による顧客からのリストＩＤを伴う購入要求の受付の動作について詳細に説明する。
【００３６】
図８は、販売サーバ１００による購入要求の受付処理を示す流れ図である。図８を参照すると、まず、販売サーバ１００のリスト購入受付部１３０は、顧客から、端末２００とネットワーク５０とを介して、「リストＩＤ」、「顧客ＩＤ」、及び「人数情報」を伴うリスト購入要求を受け付ける（ステップＳ２１）。具体的には、例えば、コンテンツ作成者が作成した、コンテンツのリストＩＤが埋め込まれたリンクを顧客が選択すると、リスト購入受付部１３０に「リストＩＤ」が通知される。この時に、リスト購入受付部１３０は、端末２００を介して顧客に、「顧客ＩＤ」、及び「人数情報」を問い合わせることによって、その情報を取得する。なお、リスト購入受付部１３０が「顧客ＩＤ」、及び「人数情報」を取得する際には、リスト購入受付部１３０は、顧客には問い合わせず、端末２００に格納されている当該情報を用いるようにしても良い。また、リスト購入受付部１３０が「人数情報」を取得する際には、リスト購入受付部１３０は、顧客には問い合わせず、リスト情報格納部１６０に格納されている人数情報を用いるようにしても良い。また、更に、顧客情報格納部１７０に格納されている例えば家族人数のような人数情報を用いるようにしても良く、これによって顧客は、購入の度に人数を指定することなく、予め登録した家族人数を用いて購入要求を送ることができ、購入時の手数が減って利便性が向上する。
【００３７】
次に、リスト購入受付部１３０は、ステップＳ２１で取得したリストＩＤ、及び人数情報に基づいて、購入すべき商品、及びその量を計算する（ステップＳ２２）。以下では、上術した「購入すべき商品、及びその量」の情報のことを「購入商品情報」と呼ぶ。具体的には、まず、上述した購入商品情報を計算する前に、リスト購入受付部１３０は、リスト情報格納部１６０を参照し、ステップＳ２１で取得したリストＩＤに対応したリスト素材ＩＤ、及びステップＳ２１で取得した人数情報に換算した素材の量を取得する。そして、リスト購入受付部１３０は、リスト素材情報格納部１５０を参照し、リスト素材ＩＤに該当する素材名、及び素材の量の単位を取得する。すなわち、リスト購入受付部１３０は、ステップＳ２１で取得したリストＩＤ、及び人数情報、並びにリスト素材情報格納部１５０、及びリスト情報格納部１６０の情報に基づいて、リストＩＤに対応する商品の情報（以下、「リスト対応商品情報」）を取得する。これが、上述したリスト内商品の人数情報に基づいた分量調整機能である。例えば、図２、及び図３において、リストＩＤとして「０００１」、及び人数情報として「４」が指定された場合、リスト対応商品情報は、「豚バラ肉２００グラム、大根１本、及びごま油１０グラム」となる。
【００３８】
次に、リスト購入要求受付部１３０は、商品情報格納部１８０を参照し、リスト対応商品情報に対応する購入商品情報を求める。ここで、購入商品情報内の量情報が、リスト対応商品情報内の量情報と一致する場合には、商品情報格納部１８０の商品を顧客情報格納部１７０の顧客ＩＤに対応する顧客のショッピングカートにそのまま登録すれば良い。しかし、購入商品情報内の量情報とリスト対応商品情報内の量情報とは一致しない場合が多く、購入商品情報を充足させてショッピングカートに商品を登録する手段を講じる必要がある。このような購入商品情報を求める方法は、リスト対応商品情報から一定の規則で導出される方法であれば任意の方法であって構わない。具体的には、例えば、商品情報格納部１８０内の商品から、リスト対応商品情報内の商品と同一の商品を抽出し、リスト対応商品情報内の量情報を満たすだけの数を登録するという方法がある。例えば、リスト対応商品情報が「豚バラ肉２００グラム、大根１本、ごま油１０グラム」であり、商品情報格納部１８０の内容が図４に示す商品群である場合、商品情報格納部１８０において「商品ＩＤ：０００１が１つ、商品ＩＤ：０００２が１つ、商品ＩＤ：０００４が１つ」が、対応する購入商品情報となる。すなわち、「豚バラ肉２００グラム、大根１本、及びごま油１００グラム」が、対応する購入商品情報となる。なお、購入商品情報の登録の際には、リスト購入受付部１３０が、端末２００を介して、顧客から追加で情報を取得するようにしても良い。例えば、リスト対応商品情報が「豚バラ肉２００グラム」であり、また、商品情報格納部１８０に「豚バラ肉（日本産）２００グラム」、及び「豚バラ肉（米国産）２００グラム」のように対応商品が複数存在する場合には、リスト購入受付部１３０が、どちらの商品を選択するかを顧客に問い合わせて、その情報を取得するようにしても良い。このような商品の選択をする必要がある場合において、価格、品質、納期等に関する顧客の志向を顧客情報格納部１７０に予め登録しておくのは好適である。これによって、上述したように、購入対象が複数存在する場合に、顧客の要望に沿った優先順位等を決定し、商品の選択肢を効率良く提供することができる。また、商品の発送元地域、納期、消費期限、及び提供可能季節等の情報を併せて格納しておくことで、顧客情報格納部１７０の顧客の住所と関連させて、これらの情報から商品の発想不可能地域を割り出し、そのような地域向けの代用品を予め格納しておくこともできる。また、例えば、リスト購入受付部１３０が取得し、端末２００に提示したリスト対応商品情報の中から、顧客が不要な商品を選択させ、購入商品情報から選択された商品を除いた情報をリスト購入受付部１３０が取得するようにしても良い。以上のように、本発明においては、購入商品情報に適合するリスト対応商品情報を原則的には自動的に、また必要に応じて顧客が適宜選択してショッピングカートに商品を登録することができ、その自動化の程度に関しては自由に選定可能である。
【００３９】
最後に、リスト購入要求受付部１３０は、ステップＳ２１で取得した顧客情報格納部１７０の顧客ＩＤに対応する顧客のショッピングカートに、ステップＳ２２で計算した購入商品情報に基づいて、商品を追加登録する（ステップＳ２３）。
【００４０】
以上の処理によって、販売サーバ１００のリスト購入要求受付部１３０は、リストＩＤ、顧客ＩＤ、及び人数情報を伴うリスト購入要求に基づいて、顧客情報格納部１７０の顧客のショッピングカートに購入商品情報を追加登録する。これによって、顧客は、リストＩＤを伴う購入要求リンクを選択すると、そのリストに対応する商品群が一括して自身のショッピングカートに自動的に追加され、利便性を向上させることが可能となる。
【００４１】
その後、オンライン購入部１４０は、端末２００とネットワーク５０とを介して、顧客から商品購入の要求を受け、上述した顧客情報格納部１７０内のステップＳ２１で取得した顧客ＩＤのショッピングカート情報に基づいて、決済システム３００と配送システム４００とを制御し、顧客からの購入決済処理と顧客への商品配送処理とを行う。このようにして、顧客からの商品購入の要求に対する販売サーバ１００の処理は完了する。そして、顧客は、一括での購買を行った商品を受け取る。
【００４２】
以上の（１）、及び（２）の処理により、販売サーバ１００は、複数商品の一括購買へ誘導する仕組みを提供することが可能となる。
【００４３】
（第２の実施形態）
第１の実施形態では、コンテンツ作成者は、（１）の処理で取得したリストＩＤを自身でコンテンツに埋め込んで使用するようにしていた。しかしながら、販売サーバ１００が、リストＩＤに基づいたコンテンツ（以下、リストコンテンツ）を生成する形態としても良い。コンテンツ作成者は、端末２００で、ネットワーク５０を介して販売サーバ１００と通信を行って、任意の商品群に対応するリストコンテンツを取得することができる。以下に、添付図面を参照しながら、本発明の第２の実施形態による電子商取引システム、電子商取引方法、及び電子商取引システム用プログラムについて、特に、コンテンツ作成者へのリストコンテンツの生成、及び提供の動作について詳細に説明する。
【００４４】
図９は、販売サーバ１００のリストコンテンツ生成部１２０によるリストコンテンツ生成の処理を示す流れ図である。図９を参照すると、まず、リストコンテンツ生成部１２０は、コンテンツ作成者から、端末２００とネットワーク５０とを介して、「リストＩＤ」が指定されたリストコンテンツ生成要求を受ける（ステップＳ３１）。販売サーバ１００がリストコンテンツ生成要求を受け、そのリストＩＤをコンテンツ作成者から取得するための方法は任意のものであって構わない。例えば、リストＩＤの値が「０００１」である場合に、「ｈｔｔｐ：／／ｗｗｗ．ｅｘａｍｐｌｅ．ｃｏｍ／ｓｈｏｐ／ｌｉｓｔ／０００１」をコンテンツ作成者が端末２００で指定すると、リストコンテンツの生成メニューをリストコンテンツ生成部１２０が表示しても良い。また、リストコンテンツの情報取得用のＷＥＢページをリストコンテンツ生成部１２０が予め用意し、コンテンツ作成者がその画面上で、リストＩＤ「０００１」を指定すると、リストコンテンツの生成を開始するようにしても良い。
【００４５】
次に、リストコンテンツ生成部１２０は、ステップＳ３１で指定されたリストＩＤに対応する商品の情報（リスト対応商品情報）をリスト情報格納部１６０から取得し、その情報に対応する購入商品情報を商品情報格納部１８０から取得する（ステップＳ３２）。具体的には、ステップＳ２２と同様の方法で、購入商品情報を取得する。
【００４６】
最後に、リストコンテンツ生成部１２０は、ステップＳ３２で取得した購入商品情報と、ステップＳ３１で取得したリストＩＤ情報とから、リスト購入要求のためのユーザインタフェースを含むリストコンテンツを生成し、要求元に応答する（ステップＳ３３）。ここでのリストコンテンツ生成方法は、ステップＳ３１で指定されたリストＩＤ、又はリストＩＤに対応する情報を含むコンテンツを生成する方法であれば任意の方法であって構わない。また、リストコンテンツには、ＱＲ（Ｑｕｉｃｋ  Ｒｅｓｐｏｎｓｅ）コード等の情報を付けるような形態としても良い。
【００４７】
図１０は、ステップＳ３３で生成されるリストコンテンツの画面の一例を示す図である。
図１０を参照すると、この例のリストコンテンツは、リストＩＤに対応するリストの情報、購入する場合の費用情報、購入を要求するためのボタン、及び顧客が人数を指定するための入力欄を含んでいる。
【００４８】
上述の方法では、既に登録されているリストＩＤ情報から、リストコンテンツの生成を行った。しかし、リストＩＤの登録とリストコンテンツの生成とを同時に行っても良い。その際には、第１の実施形態の（１）におけるステップＳ１１と同様に、図７に示すような、リストが対象とする人数、素材、及びその量を指定するためのユーザインタフェースをコンテンツ作成者に対して、リストコンテンツ生成部１２０が提供し、そのユーザインタフェースを介してリストコンテンツ生成要求を受けるのは好適である。その場合には、コンテンツ作成者は、これらの欄に必要事項を入力した上で図７の「リスト作成要求」とは別に用意される「リストコンテンツ生成要求」と書かれたボタンを押すことによって、リストコンテンツ生成要求をリストコンテンツ生成部１２０に送信することを可能にする形態とすれば良い。
【００４９】
以上の処理によって、リストコンテンツ生成部１２０は、指定されたリストＩＤに基づいたリストコンテンツを生成することが可能である。コンテンツ作成者は、リストＩＤを指定することによって、簡易にリストコンテンツを取得すること、及び利用することが可能となる。
【００５０】
本発明は、電子商取引において複数の商品について容易に一括で購入を行うシステムを提供するものである。すなわち、複数商品のリストを登録する機能と、リストへの誘導を行うリストコンテンツを生成する機能と、リスト単位の購入を受け付ける機能とを有する本発明による電子商取引システムによって、ネットワーク上のコンテンツから、複数商品の一括購買に誘導させるための仕組みを提供するものである。
【００５１】
本発明によれば、コンテンツ内の複数の商品を購買に誘導するために商品それぞれに設けられるリンク情報、及び複数の商品の購入時における商品毎に行われる注文の必要性を排し、オンライン販売する側、及び購入する側の双方にとって望ましい、複数の商品を一括して購入する処理を行う仕組みが提供される。本発明を実現するために、複数の商品を任意に組み合わせたリストを任意のコンテンツ作成者が作成可能となっており、また作成されたリストは、リンク、又はリストコンテンツとして公開されているので、そのリストを作成した本人だけでなく任意の利用者がリンク、又はリストコンテンツを利用可能となっている。そして、登録されたリストを構成する個々の商品を顧客が簡単に指定することができる。よって、顧客は、リストを選択するだけで、ショッピングカートに商品を入れるところまで自動化でき、複数の商品の購入時における利便性を向上できる。
【００５２】
以上、本発明では、コンテンツ作成者による、自身のコンテンツ内に記載された複数の商品情報を一括で購入するためのリスト情報として登録してネットワーク上に公開する。また、リスト情報をコンテンツ内に埋め込むためのリストコンテンツを生成してコンテンツ作成者に提供する。また、リスト情報をたどった購入要求を受け付けて商品を一括で販売するための処理を行う。そして、複数商品のリストを登録する機能と、リストへの誘導を行うリストコンテンツを生成する機能と、リスト単位の購入を受け付ける機能とを提供することによって、複数商品の一括購買への誘導を実現する電子商取引システム、電子商取引方法、及び電子商取引システム用プログラムを提供する。
【００５３】
以上、本発明の実施形態を説明した。しかし、本発明は上記実施形態に限定されるものではなく、本発明の要旨を逸脱しない範囲内で種々変形して実施することができる。
【符号の説明】
【００５４】
５０  ネットワーク
１００  販売サーバ
１１０  リストＩＤ生成部
１２０  リストコンテンツ生成部
１３０  リスト購入受付部
１４０  オンライン購入部
１５０  リスト素材情報格納部
１６０  リスト情報格納部
１７０  顧客情報格納部
１８０  商品情報格納部
２００  端末
３００  決済システム
４００  配送システム
【図１】
2011118839.tif 000003
【図２】
2011118839.tif 000004
【図３】
2011118839.tif 000005
【図４】
2011118839.tif 000006
【図５】
2011118839.tif 000007
【図６】
2011118839.tif 000008
【図７】
2011118839.tif 000009
【図８】
2011118839.tif 000010
【図９】
2011118839.tif 000011
【図１０】
2011118839.tif 000012